(57)【要約】【課題】原稿とともに、原稿からはみ出る態様で貼付されている媒体を読み取ることができる原稿読取装置及び原稿読取プログラムを提供する。【解決手段】搬送部１５０は、原稿を搬送する。取得部１４３は、搬送されている前記原稿のサイズを取得する。設定部１４４は、取得されたサイズより拡張した範囲を読取範囲に設定する。読取部１６０は、設定された読取範囲で原稿を読み取って画像データを生成する。【選択図】図１
2011199397.tif 000002
【特許請求の範囲】
【請求項１】
原稿を搬送する搬送手段と、
搬送されている前記原稿のサイズを取得する取得手段と、
取得された前記サイズより拡張した範囲を読取範囲に設定する設定手段と、
設定された前記読取範囲で前記原稿を読み取って画像データを生成する読取手段と、
を備えることを特徴とする原稿読取装置。
【請求項２】
読取モードの入力を受け付けるモード受付手段を更に備え、
前記設定手段は、前記モード受付手段が受け付けた読取モードが第１モードである場合に前記取得手段が取得したサイズより拡張した範囲を読取範囲に設定する一方、前記モード受付手段が受け付けた読取モードが前記第１モードとは異なる第２モードである場合には前記取得手段が取得したサイズを読取範囲として設定することを特徴とする請求項１に記載の原稿読取装置。
【請求項３】
前記原稿の先端及び後端を検知するセンサを備え、
前記取得手段は、前記センサにより検知された前記先端及び前記後端に基づいて、前記原稿のサイズを取得することを特徴とする請求項１または２に記載の原稿読取装置。
【請求項４】
前記センサは、前記原稿の搬送方向と直交する方向に複数配置され、
前記取得手段は、前記センサのいずれかにより検知された前記先端、及び前記センサのいずれかにより最初に検知された前記後端に基づいて、前記サイズを取得することを特徴とする請求項３に記載の原稿読取装置。
【請求項５】
前記設定手段は、前記取得手段により取得された前記サイズが原稿の定型サイズよりも大きい場合、取得された前記サイズより拡張した範囲を読取範囲に設定することを特徴とする請求項３又は４に記載の原稿読取装置。
【請求項６】
前記画像データを転写紙のサイズに合わせて変倍する変倍手段と、
変倍された前記画像データを前記転写紙に印刷する印刷手段と、
を更に備えることを特徴とする請求項１〜５のいずれか１つに記載の原稿読取装置。
【請求項７】
前記画像データが収まるサイズの転写紙を選択する選択手段と、
選択された前記転写紙に前記画像データを印刷する印刷手段と、
を更に備えることを特徴とする請求項１〜５のいずれか１つに記載の原稿読取装置。
【請求項８】
前記読取モードが前記第１モードかつ両面読取モードを示す場合に、前記原稿読取手段による前記原稿の読み取りを禁止する禁止手段を更に備えることを特徴とする請求項２〜７のいずれか１つに記載の原稿読取装置。
【請求項９】
前記搬送方向で延長する長さを示す長さ情報を記憶する長さ情報記憶手段を更に備え、
前記設定手段は、前記取得手段により取得された原稿のサイズより、前記長さ情報が示す長さ分拡張した範囲を読取範囲に設定することを特徴とする請求項１〜８のいずれか１つに記載の原稿読取装置。
【請求項１０】
前記搬送方向で延長する長さを示す長さ情報の入力を受け付ける長さ情報受付手段と、
前記長さ情報を記憶する長さ情報記憶手段と、を更に備え、
前記設定手段は、前記取得手段により取得された原稿のサイズより、前記長さ情報が示す長さ分拡張した範囲を読取範囲に設定することを特徴とする請求項１〜８のいずれか１つに記載の原稿読取装置。
【請求項１１】
原稿を搬送する搬送ステップと、
搬送されている前記原稿のサイズを取得する取得ステップと、
取得された前記サイズより拡張した範囲を読取範囲に設定する設定ステップと、
設定された前記読取範囲で前記原稿を読み取らせ、画像データを生成させる読取制御ステップと、
をコンピュータに実行させるための原稿読取プログラム。
【請求項１２】
読取モードの入力を受け付ける読取モード受付ステップを更にコンピュータに実行させ、
前記設定ステップは、前記モード受付ステップにて受け付けられた読取モードが第１モードである場合に前記取得ステップにて取得されたサイズより拡張した範囲を読取範囲に設定する一方、前記モード受付ステップにて受け付けられた読取モードが前記第１モードとは異なる第２モードである場合には前記取得ステップにて取得されたサイズを読取範囲として設定するステップであることを特徴とする請求項１１に記載の原稿読取プログラム。
【発明の詳細な説明】
【技術分野】
【０００１】
本発明は、原稿読取装置及び原稿読取プログラムに関する。
【背景技術】
【０００２】
従来から、原稿を読み込んで画像データを生成する原稿読取装置が知られている。しかし、従来の原稿読取装置では、紙媒体の原稿を原稿サイズに合わせて読み込むため、原稿端部からはみ出た部分（例えば、付箋などの媒体）を読み込むことが困難であった。このため、例えば特許文献１には、特定のマーカと属性コードが記載された付箋を紙媒体に貼付することで、紙媒体とともに、紙媒体に貼付された付箋の位置、傾き、大きさ、色、及び記載内容などを読み取る技術が開示されている。
【発明の概要】
【発明が解決しようとする課題】
【０００３】
しかしながら、特許文献１に開示されたような技術では、特別に加工された付箋が読み取れるに過ぎず、このような付箋以外の媒体が原稿からはみ出る態様で貼付されている場合、原稿に貼付されている媒体を正しく読み取ることができないという問題がある。
【０００４】
本発明は、上記事情に鑑みてなされたものであり、原稿とともに、原稿からはみ出る態様で貼付されている媒体を読み取ることができる原稿読取装置及び原稿読取プログラムを提供することを目的とする。
【課題を解決するための手段】
【０００５】
上述した課題を解決し、目的を達成するために、本発明の一態様にかかる原稿読取装置は、原稿を搬送する搬送手段と、搬送されている前記原稿のサイズを取得する取得手段と、取得された前記サイズより拡張した範囲を読取範囲に設定する設定手段と、設定された前記読取範囲で前記原稿を読み取って画像データを生成する読取手段と、を備えることを特徴とする。
【０００６】
また、本発明の別の態様にかかる原稿読取プログラムは、原稿を搬送する搬送ステップと、搬送されている前記原稿のサイズを取得する取得ステップと、取得された前記サイズより拡張した範囲を読取範囲に設定する設定ステップと、設定された前記読取範囲で前記原稿を読み取らせ、画像データを生成させる読取制御ステップと、をコンピュータに実行させるためのものである。
【発明の効果】
【０００７】
本発明によれば、原稿のサイズより拡張した範囲を読取範囲に設定することができるため、例えば、原稿とともに、原稿からはみ出る態様で貼付されている媒体を読み取ることができるという効果を奏する。
【図面の簡単な説明】
【０００８】
【図１】図１は、第１実施形態の複合機の構成例を示すブロック図である。
【図２】図２は、第１実施形態の搬送部の機械的構成例を示す概略図である。
【図３】図３は、第１実施形態の読取範囲の設定手法の説明図である。
【図４】図４は、第１実施形態の複合機で行われる読取処理例を示すフローチャートである。
【図５】図５は、第１実施形態の複合機で行われる読取モード設定処理例を示すフローチャートである。
【図６】図６は、第１実施形態の複合機で行われるコピー処理の一例を示すフローチャートである。
【図７】図７は、第１実施形態の複合機で行われるコピー処理の他例を示すフローチャートである。
【図８】図８は、第２実施形態の複合機の構成例を示すブロック図である。
【図９】図９は、第２実施形態の読取範囲の設定手法の説明図である。
【図１０】図１０は、第３実施形態の複合機の構成例を示すブロック図である。
【図１１】図１１は、第１〜３実施形態の複合機のハードウェア構成例を示すブロック図である。
【発明を実施するための形態】
【０００９】
以下、添付図面を参照しながら、本発明を適用した原稿読取装置及び原稿読取プログラムの実施形態を詳細に説明する。なお、以下の各実施形態では、原稿読取装置として、スキャナ機能に加え、印刷機能、コピー機能、及びファクシミリ機能の少なくともいずれかの機能を有する複合機（ＭＦＰ：Multifunction  Peripheral）を例にとり説明するが、これに限定されるものではない。画像形成装置は、例えば、スキャナ装置、ファクシミリ装置、又は複写機など画像データの読み取りが可能な装置であればいずれの装置であってもよい。なお、スキャナ装置は、ＡＤＦ（Auto  Document  Feeder）を備えていてもよい。
【００１０】
以下の各実施形態の複合機は、原稿のサイズを取得し、取得したサイズを拡張した範囲を読取範囲に設定して、原稿を読み取る。これにより、原稿とともに、原稿の搬送方向の端部からはみ出る態様で貼付されている付箋などの媒体を読み取ることができる。
【００１１】
（第１実施形態）
まず、第１実施形態の複合機の構成について説明する。
【００１２】
図１は、第１実施形態の複合機１００の構成の一例を示すブロック図である。図１に示すように、複合機１００は、表示部１１０と、入力部１２０と、記憶部１３０と、制御部１４０と、搬送部１５０と、読取部１６０と、画像処理部１７０と、給紙部１８０と、印刷部１９０とを、備える。
【００１３】
表示部１１０は、各種画面を表示するものであり、タッチパネル式ディスプレイや液晶ディスプレイなどの既存の表示装置により実現できる。
【００１４】
入力部１２０は、各種操作の入力を行うものであり、キースイッチやタッチパネルなどの既存の入力装置により実現できる。なお、表示部１１０及び入力部１２０は、タッチパネル式ディスプレイ（オペレーションパネル）などにより一体的に実現してもよい。
【００１５】
記憶部１３０は、複合機１００で実行される各種プログラムや複合機１００で行われる各種処理に使用される各種情報などを記憶する。記憶部１３０は、例えば、ＨＤＤ（Hard  Disk  Drive）、ＳＳＤ（Solid  State  Drive）、メモリカード、光ディスク、ＲＯＭ（Read  Only  Memory）、ＲＡＭ（Random  Access  Memory）などの磁気的、光学的、又は電気的に記憶可能な既存の記憶装置により実現できる。記憶部１３０は、長さ情報記憶部１３２を含む。長さ情報記憶部１３２の詳細については後述する。
【００１６】
制御部１４０は、複合機１００の各部を制御するものであり、ＣＰＵ（Central  Processing  Unit）などの既存の制御装置により実現できる。制御部１４０は、モード受付部１４１と、禁止部１４２と、取得部１４３と、設定部１４４と、選択部１４５とを、備える。
【００１７】
モード受付部１４１は、入力部１２０から読取モードなどの各種モードの入力を受け付ける。モード受付部１４１は、例えば、読取モードとして、付箋読取を行う付箋読取モード（第１モードの一例）か通常読取を行う通常読取モード（第２モードの一例）かの入力を受け付けたり、片面読取を行う片面読取モードか両面読取を行う両面読取モードかの入力を受け付けたりする。そして、モード受付部１４１は、受け付けたモードを設定する。
【００１８】
禁止部１４２は、モード受付部１４１により設定されたモードが付箋読取モードかつ両面読取モードを示す場合、後述の読取部１６０による原稿の読み取りを禁止する。具体的には、禁止部１４２は、付箋読取モードと両面読取モードが両立しない旨の警告文を表示部１１０に表示させたり、両面読取モードを強制的に解除したりする。なお、禁止部１４２が両面読取モードを強制的に解除した場合、付箋読取モードかつ片面読取モードが設定されることになる。
【００１９】
ここで、搬送部１５０について説明する。搬送部１５０は、制御部１４０の指示を受け、後述の読取部１６０に原稿を搬送するものであり、例えば、ＡＤＦなどの既存の搬送装置により実現できる。
【００２０】
図２は、第１実施形態の搬送部１５０の機械的構成の一例を示す概略図である。なお、図示は省略しているが、搬送部１５０の下部に複合機１００の本体部が位置している。図２に示すように、搬送部１５０は、原稿トレイに原稿がセットされたことを検知する原稿セットセンサ１５１と、原稿トレイにセットされた原稿を搬送する各種ローラ１５２（ピックアップローラ１５２ａ、フィードローラ１５２ｂ、プルアウトローラ１５２ｃ、読取前ローラ１５２ｄ、排紙ローラ１５２ｅ、及び反転ローラ１５２ｆなど）と、搬送中の原稿を検知するレジストセンサ１５３と、原稿を読み取って画像データを生成する光電変換素子（図示省略）が対向位置の本体部に配置されているスキャンライン１５４と、原稿の表裏を反転させる分岐爪１５５とを、備える。
【００２１】
レジストセンサ１５３は、原稿の搬送経路上に配置されており、原稿の先端及び後端を検知する。具体的には、レジストセンサ１５３は、搬送中の原稿の先端を検知すると原稿検知信号の出力を開始し、当該原稿の後端を検知すると原稿検知信号の出力を終了する。なお、レジストセンサ１５３は、電気的なセンサであってもよいし、機械的なセンサであってもよい。
【００２２】
図１に戻り、取得部１４３は、搬送部１５０により搬送されている原稿のサイズを取得する。具体的には、取得部１４３は、搬送部１５０のレジストセンサ１５３により検知された原稿先端及び後端に基づいて原稿のサイズを取得する。例えば、取得部１４３は、レジストセンサ１５３から出力される原稿検知信号の受信期間（レジストセンサ１５３が原稿の先端を検知してから後端を検知するまでの期間）及び原稿の搬送速度などから、原稿の少なくとも搬送方向のサイズを取得（算出）する。なお、入力部１２０から原稿のサイズを入力するようにして、取得部１４３が、入力部１２０から原稿サイズを取得するようにしてもよい。
【００２３】
ここで、長さ情報記憶部１３２について説明する。長さ情報記憶部１３２は、搬送方向で延長する長さ（例えば、１０ｍｍなど）を示す長さ情報を記憶する。
【００２４】
設定部１４４は、取得部１４３により取得された原稿のサイズより拡張した拡張範囲を読取範囲に設定する。具体的には、設定部１４４は、長さ情報記憶部１３２に記憶されている長さ情報が示す長さ分搬送方向で拡張した拡張範囲を読取範囲に設定する。例えば、設定部１４４は、図３に示すように、原稿のサイズを原稿の後端から長さ情報が示す長さ分拡張した拡張範囲を読取範囲に設定する。
【００２５】
なお、モード受付部１４１により設定されたモードが付箋読取モードを示す場合に、設定部１４４は、原稿のサイズより拡張した拡張範囲を読取範囲に設定する。一方、モード受付部１４１により設定されたモードが通常読取モードを示す場合、設定部１４４は、原稿のサイズである通常範囲を読取範囲に設定する。
【００２６】
ここで、読取部１６０について説明する。読取部１６０は、制御部１４０の指示を受け、設定部１４４により設定された読取範囲で、搬送部１５０により搬送された原稿などの紙媒体を読み取って画像データを生成するものであり、スキャナなどの既存の読取装置により実現できる。
【００２７】
ここで、画像処理部１７０（変倍手段の一例）について説明する。画像処理部１７０は、制御部１４０の指示を受け、読取部１６０により読み取られた画像データに各種画像処理を施すものであり、例えば、ＡＳＩＣ（Application  Specific  Integrated  Circuit）などにより実現できる。具体的には、画像処理部１７０は、制御部１４０から変倍が指定されている場合、読取部１６０により読み取られた画像データを、当該画像データが印刷される転写紙のサイズに合わせて変倍する。例えば、画像処理部１７０は、読取部１６０により読み取られた画像データの副走査ラインの画素を間引くことで、当該画像データが印刷される転写紙のサイズに合わせて縮小加工する。なお第１実施形態では、画像処理部１７０でハードウェア的に変倍を行う場合を例に取り説明するが、制御部１４０でソフトウェア的に変倍を行うようにしてもよい。
【００２８】
選択部１４５は、読取部１６０により読み取られた画像データが収まるサイズの転写紙を選択する。具体的には、選択部１４５は、画像処理部１７０により画像データの変倍が行われない場合、読取部１６０により読み取られた画像データが収まるサイズの転写紙を選択する。
【００２９】
給紙部１８０は、印刷が行われる転写紙をサイズ毎に保管しており、制御部１４０（選択部１４５）の指示を受け、印刷に使用される転写紙を後述の印刷部１９０へ供給する。
【００３０】
印刷部１９０は、制御部１４０の指示を受け、画像処理部１７０により画像処理が施された画像データを、給紙部１８０から供給された転写紙に印刷するものであり、プリンタなどの既存の印刷装置により実現できる。
【００３１】
なお、複合機１００は、上述した各部の全てを必須の構成とする必要はなく、その一部を省略した構成としてもよい。
【００３２】
次に、第１実施形態の複合機の動作について説明する。
【００３３】
図４は、第１実施形態の複合機１００で行われる読取処理の手順の流れの一例を示すフローチャートである。
【００３４】
まず、制御部１４０は、読取モード設定処理を行う（ステップＳ１００）。なお、読取モード設定処理の詳細については後述する。
【００３５】
続いて、制御部１４０は、入力部１２０から開始入力が行われるのを待機し（ステップＳ１０２でＮｏ）、開始入力が行われると（ステップＳ１０２でＹｅｓ）、搬送部１５０に原稿が載置されているか確認する（ステップＳ１０４）。
【００３６】
なお、搬送部１５０に原稿が載置されていない場合（ステップＳ１０４でＮｏ）、読取部１６０は、通常の圧版読取（原稿の搬送を要しない読み取り）を行う（ステップＳ１０６）。
【００３７】
一方、搬送部１５０に原稿が載置されている場合（ステップＳ１０４でＹｅｓ）、搬送部１５０は、制御部１４０の指示を受け、原稿の搬送を開始する（ステップＳ１０８）。
ここでは、原稿の搬送方向の後端からはみ出る態様で付箋が原稿に貼付されているものとする。
【００３８】
続いて、搬送部１５０のレジストセンサ１５３は、搬送中の原稿の先端の検知を待機し（ステップＳ１１０でＮｏ）、原稿の先端を検知すると（ステップＳ１１０でＹｅｓ）、取得部１４３への原稿検知信号の出力を開始する。そして、原稿検知信号の出力が開始されると、制御部１４０は、読取部１６０に原稿の読み取りを指示し、読取部１６０は、原稿の読み取りを開始する（ステップＳ１１２）。
【００３９】
続いて、搬送部１５０のレジストセンサ１５３は、搬送中の原稿の後端の検知を待機し（ステップＳ１１４でＮｏ）、原稿の後端を検知すると（ステップＳ１１４でＹｅｓ）、取得部１４３への原稿検知信号の出力を終了する。これにより、取得部１４３は、搬送中の原稿のサイズを取得する。
【００４０】
続いて、設定部１４４は、モード受付部１４１により設定されたモードが付箋読取モードを示す場合（ステップＳ１１６でＹｅｓ）、原稿のサイズを拡張した拡張範囲を読取範囲に設定する（ステップＳ１１８）。
【００４１】
一方、設定部１４４は、モード受付部１４１により設定されたモードが付箋読取モードを示さない場合（ステップＳ１１６でＮｏ）、原稿のサイズである通常範囲を読取範囲に設定する（ステップＳ１２０）。
【００４２】
そして、読取部１６０は、設定部１４４により設定された読取範囲を読み取るまで読み取りを継続し（ステップＳ１２２でＮｏ）、読取範囲を読み取ると（ステップＳ１２２でＹｅｓ）、原稿の読み取りを終了する（ステップＳ１２４）。
【００４３】
続いて、搬送部１５０は、原稿の排紙が終了するまで原稿の搬送を継続し（ステップＳ１２６でＮｏ）、原稿の排紙が終了すると（ステップＳ１２６でＹｅｓ）、原稿の搬送を終了する（ステップＳ１２８）。
【００４４】
図５は、第１実施形態の複合機１００で行われる読取モード設定処理の手順の流れの一例を示すフローチャートである。
【００４５】
まず、モード受付部１４１は、入力部１２０から読取モードの入力を受け付け、受け付けたモードを設定する（ステップＳ２００）。
【００４６】
続いて、禁止部１４２は、モード受付部１４１により設定されたモードが両面読取モードかつ付箋読取モードを示す場合（ステップＳ２０２でＹｅｓ、ステップＳ２０４でＹｅｓ）、付箋読取モードと両面読取モードが両立しない旨の警告文を表示部１１０に表示させ（ステップＳ２０６）、両面読取モードを強制的に解除する（ステップＳ２０８）。
【００４７】
なお、モード受付部１４１により設定されたモードが両面読取モードかつ付箋読取モードを示さない場合は（ステップＳ２０２でＮｏ、又はステップＳ２０４でＮｏ）、モード受付部１４１により設定されたモードがそのまま設定される。
【００４８】
図６は、第１実施形態の複合機１００で行われるコピー処理の一例を示すフローチャートである。
【００４９】
まず、複合機１００は、図４で説明した読取処理を行う（ステップＳ３００）。
【００５０】
続いて、制御部１４０は、ステップＳ３００の読取処理で設定された読取範囲が読取部１６０により読み取られた画像データが印刷される転写紙のサイズよりも大きいか否かを確認する（ステップＳ３０２）。なお、印刷に使用される転写紙のサイズは、コピー処理の開始時に入力部１２０から入力され、制御部１４０により設定されているものとする。
【００５１】
続いて、読取範囲が転写紙のサイズよりも大きい場合（ステップＳ３０２でＹｅｓ）、画像処理部１７０は、制御部１４０の指示を受け、読取部１６０により読み取られた画像データに、当該画像データが印刷される転写紙のサイズに合わせて変倍する変倍処理を含む画像処理を施す（ステップＳ３０４）。
【００５２】
一方、読取範囲が転写紙のサイズよりも小さい場合（ステップＳ３０２でＮｏ）、読取部１６０により読み取られた画像データに、画像処理部１７０による変倍は行われず、変倍処理以外の画像処理が施される。
【００５３】
そして、印刷部１９０は、制御部１４０の指示を受け、画像処理部１７０により画像処理が施された画像データを、給紙部１８０から供給された転写紙に印刷する（ステップＳ３０６）。
【００５４】
図７は、第１実施形態の複合機１００で行われるコピー処理の他の例を示すフローチャートである。
【００５５】
まず、ステップＳ４００〜Ｓ４０２までの処理は、図６に示すフローチャートのステップＳ３００〜Ｓ３０２までの処理と同様である。
【００５６】
続いて、読取範囲が転写紙のサイズよりも大きい場合（ステップＳ４０２でＹｅｓ）、選択部１４５は、読取部１６０により読み取られた画像データが収まるサイズの転写紙を選択する（ステップＳ４０４）。
【００５７】
一方、読取範囲が転写紙のサイズよりも小さい場合（ステップＳ４０２でＮｏ）、選択部１４５による転写紙の選択（変更）は行われない。
【００５８】
以降のステップＳ４０６の処理は、図６に示すフローチャートのステップＳ３０６の処理と同様である。
【００５９】
以上のように、第１実施形態によれば、原稿のサイズを取得し、取得したサイズを原稿の搬送方向で拡張した範囲を読取範囲に設定して、原稿を読み取るため、原稿とともに、原稿の搬送方向の端部からはみ出る態様で貼付されている付箋などの媒体を読み取ることができる。
【００６０】
また、両面読取モードの場合、原稿搬送時に表裏を反転する必要があるが、原稿後端にあった付箋部分は、反転動作によって原稿先端に位置することになる。そして、裏面読取のためにこのまま搬送すると付箋が搬送経路に引っかかって折れたり剥がれたりする可能性がある。このため第１実施形態では、付箋読取モードかつ両面読取モードを示す場合、原稿の読み取りを禁止することで、上述した事態の発生を防止することができる。
【００６１】
また第１実施形態によれば、読み取った画像データを転写紙のサイズに収まるように変倍して印刷するため、原稿とともに、原稿に貼付されている付箋なども確実にコピーすることができる。
【００６２】
また第１実施形態によれば、読み取った画像データが収まるように転写紙のサイズを変更して印刷するため、原稿とともに、原稿に貼付されている付箋なども確実にコピーすることができる。
【００６３】
（第２実施形態）
第１実施形態では、レジストセンサの数が単数である場合を例に取り説明したが、第２実施形態では、レジストセンサの数が複数である場合を例について説明する。これにより、原稿に貼付されている付箋などの媒体がレジストセンサと重なった場合であっても、原稿の正しいサイズを確実に取得することができる。以下では、第１実施形態との相違点の説明を主に行い、第１実施形態と同様の機能を有する構成要素については、第１実施形態と同様の名称・符号を付し、その説明を省略する。
【００６４】
図８は、第２実施形態の複合機２００の構成の一例を示すブロック図である。第２実施形態の複合機２００では、搬送部２５０及び制御部２４０の取得部２４３が第１実施形態と相違する。
【００６５】
図９は、第２実施形態の原稿サイズの取得手法の説明図である。搬送部２５０では、図９に示すように、レジストセンサ２５３ａ、ｂを、原稿の搬送経路上であって、原稿の搬送方向と直交する方向に複数配置している。図９に示す例の場合、レジストセンサ２５３ａと付箋の位置とが重なってしまうため、レジストセンサ２５３ａは、付箋部分が通過した後に、原稿検知信号の出力を終了する。一方、レジストセンサ２５３ｂは、付箋と位置が重ならないため、原稿の後端部分が通過した後に、原稿検知信号の出力を終了する。
【００６６】
取得部２４３は、搬送部２５０のレジストセンサ２５３ａ、ｂのいずれかにより検知された原稿先端、及びレジストセンサ２５３ａ、ｂのいずれかにより最初に検知された原稿後端に基づいて、サイズを取得する。具体的には、取得部２４３は、レジストセンサ２５３ａ、ｂそれぞれから出力されている原稿検知信号のうち最初に出力が終了された原稿検知信号の受信期間、及び原稿の搬送速度などから、原稿の少なくとも搬送方向のサイズを取得（算出）する。
【００６７】
つまり、図９に示す例の場合、レジストセンサ２５３ａから出力されている原稿検知信号よりもレジストセンサ２５３ｂから出力されている原稿検知信号の方が早く出力が終了されるため、取得部２４３は、レジストセンサ２５３ｂから出力されている原稿検知信号に基づいて原稿のサイズを取得する。
【００６８】
以上のように、第２実施形態によれば、原稿の搬送方向と直交する方向にレジストセンサを複数配置しているため、いずれかのレジストセンサが付箋などの媒体と重なってしまう場合であっても、他のレジストセンサを用いることで、原稿の正しいサイズを確実に取得することができる。
【００６９】
（第３実施形態）
第３実施形態では、原稿のサイズを原稿の後端から拡張する長さ、即ち、拡張範囲をユーザに設定させる例について説明する。以下では、第１実施形態との相違点の説明を主に行い、第１実施形態と同様の機能を有する構成要素については、第１実施形態と同様の名称・符号を付し、その説明を省略する。
【００７０】
図１０は、第３実施形態の複合機３００の構成の一例を示すブロック図である。第３実施形態の複合機３００では、記憶部３３０の長さ情報記憶部３３２及び制御部３４０の長さ情報受付部３４６が第１実施形態と相違する。
【００７１】
長さ情報受付部３４６は、入力部１２０から、搬送方向で延長する長さ（例えば、１０ｍｍなど）を示す長さ情報の入力を受け付け、長さ情報記憶部３３２に記憶させる。
【００７２】
これにより第３実施形態では、原稿のサイズを原稿の後端から拡張する長さ、即ち、拡張範囲をユーザに設定させることができる。
【００７３】
（ハードウェア構成）
第１〜３実施形態の複合機１００、２００、３００のハードウェア構成の一例について説明する。図１１は、第１〜３実施形態の複合機１００、２００、３００のハードウェア構成の一例を示すブロック図である。
【００７４】
図１１に示すように、第１〜３実施形態の複合機１００、２００、３００は、コントローラ９１０とエンジン部（Engine）９６０とをＰＣＩ（Peripheral  Component  Interconnect）バスで接続した構成となる。コントローラ９１０は、複合機全体の制御、描画、通信、及び操作表示部９２０からの入力を制御するコントローラである。エンジン部９６０は、ＰＣＩバスに接続可能なプリンタエンジンなどであり、たとえば白黒プロッタ、１ドラムカラープロッタ、４ドラムカラープロッタ、スキャナまたはファックスユニットなどである。なお、このエンジン部９６０には、プロッタなどのいわゆるエンジン部分に加えて、誤差拡散やガンマ変換などの画像処理部分が含まれる。
【００７５】
コントローラ９１０は、ＣＰＵ９１１と、ノースブリッジ（ＮＢ）９１３と、システムメモリ（ＭＥＭ−Ｐ）９１２と、サウスブリッジ（ＳＢ）９１４と、ローカルメモリ（ＭＥＭ−Ｃ）９１７と、ＡＳＩＣ（Application  Specific  Integrated  Circuit）９１６と、ハードディスクドライブ（ＨＤＤ）９１８とを有し、ノースブリッジ（ＮＢ）９１３とＡＳＩＣ９１６との間をＡＧＰ（Accelerated  Graphics  Port）バス９１５で接続した構成となる。また、ＭＥＭ−Ｐ９１２は、ＲＯＭ９１２ａと、ＲＡＭ９１２ｂとをさらに有する。
【００７６】
ＣＰＵ９１１は、複合機の全体制御をおこなうものであり、ＮＢ９１３、ＭＥＭ−Ｐ９１２およびＳＢ９１４からなるチップセットを有し、このチップセットを介して他の機器と接続される。
【００７７】
ＮＢ９１３は、ＣＰＵ９１１とＭＥＭ−Ｐ９１２、ＳＢ９１４、ＡＧＰ９１５とを接続するためのブリッジであり、ＭＥＭ−Ｐ９１２に対する読み書きなどを制御するメモリコントローラと、ＰＣＩマスタおよびＡＧＰターゲットとを有する。
【００７８】
ＭＥＭ−Ｐ９１２は、プログラムやデータの格納用メモリ、プログラムやデータの展開用メモリ、プリンタの描画用メモリなどとして用いるシステムメモリであり、ＲＯＭ９１２ａとＲＡＭ９１２ｂとからなる。ＲＯＭ９１２ａは、プログラムやデータの格納用メモリとして用いる読み出し専用のメモリであり、ＲＡＭ９１２ｂは、プログラムやデータの展開用メモリ、プリンタの描画用メモリなどとして用いる書き込みおよび読み出し可能なメモリである。
【００７９】
ＳＢ９１４は、ＮＢ９１３とＰＣＩデバイス、周辺デバイスとを接続するためのブリッジである。このＳＢ９１４は、ＰＣＩバスを介してＮＢ９１３と接続されており、このＰＣＩバスには、ネットワークインタフェース（Ｉ／Ｆ）部なども接続される。
【００８０】
ＡＳＩＣ９１６は、画像処理用のハードウェア要素を有する画像処理用途向けのＩＣ（Integrated  Circuit）であり、ＡＧＰ９１５、ＰＣＩバス、ＨＤＤ９１８およびＭＥＭ−Ｃ９１７をそれぞれ接続するブリッジの役割を有する。このＡＳＩＣ９１６は、ＰＣＩターゲットおよびＡＧＰマスタと、ＡＳＩＣ９１６の中核をなすアービタ（ＡＲＢ）と、ＭＥＭ−Ｃ９１７を制御するメモリコントローラと、ハードウェアロジックなどにより画像データの回転などをおこなう複数のＤＭＡＣ（Direct  Memory  Access  Controller）と、エンジン部９６０との間でＰＣＩバスを介したデータ転送をおこなうＰＣＩユニットとからなる。このＡＳＩＣ９１６には、ＰＣＩバスを介してＦＣＵ（Fax  Control  Unit）９３０、ＵＳＢ（Universal  Serial  Bus）９４０、ＩＥＥＥ１３９４（the  Institute  of  Electrical  and  Electronics  Engineers  1394）インタフェース９５０が接続される。操作表示部９２０はＡＳＩＣ９１６に直接接続されている。
【００８１】
ＭＥＭ−Ｃ９１７は、コピー用画像バッファ、符号バッファとして用いるローカルメモリであり、ＨＤＤ９１８は、画像データの蓄積、プログラムの蓄積、フォントデータの蓄積、フォームの蓄積を行うためのストレージである。
【００８２】
ＡＧＰ９１５は、グラフィック処理を高速化するために提案されたグラフィックスアクセラレーターカード用のバスインターフェースであり、ＭＥＭ−Ｐ９１２に高スループットで直接アクセスすることにより、グラフィックスアクセラレーターカードを高速にするものである。
【００８３】
なお、第１〜３実施形態の複合機１００、２００、３００で実行される原稿読取プログラムは、ＲＯＭ等に予め組み込まれて提供される。
【００８４】
第１〜３実施形態の複合機１００、２００、３００で実行される原稿読取プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記憶媒体に記録して提供するように構成してもよい。
【００８５】
さらに、第１〜３実施形態の複合機１００、２００、３００で実行される原稿読取プログラムを、インターネット等のネットワークに接続されたコンピュータ上に格納し、ネットワーク経由でダウンロードさせることにより提供するように構成しても良い。また、第１〜３実施形態の複合機１００、２００、３００で実行される原稿読取プログラムをインターネット等のネットワーク経由で提供または配布するように構成しても良い。
【００８６】
第１〜３実施形態の複合機１００、２００、３００で実行される原稿読取プログラムは、上述した各部をコンピュータ上で実現させるためのモジュール構成となっている。実際のハードウェアとしてはＣＰＵ９１１がＲＯＭ９１２ａからプログラムをＲＡＭ９１２ｂ上に読み出して実行することにより、上記各部がコンピュータ上で実現されるようになっている。
【００８７】
（変形例）
なお、本発明は、上記実施形態に限定されるものではなく、種々の変形が可能である。例えば、上記実施形態では、レジストセンサを複数配置することで、レジストセンサと付箋が重なった場合であっても正しい原稿のサイズを取得する例について説明したが、取得部により取得されたサイズが予め定められたサイズ（Ａ３、Ａ４などの定型サイズ）であるか否かを判定することにより、正しい原稿のサイズを取得するようにしてもよい。この場合、設定部が、取得部により取得されたサイズが予め定められたサイズよりも大きいか否かを判定し、大きい場合には、レジストセンサと付箋が重なったためと判断し、予め定められたサイズを原稿の搬送方向で拡張した拡張範囲を読取範囲に設定する。このようにしても、正しい原稿のサイズを取得することができる。また、上記各実施形態を組み合わせるようにしてもよい。
【符号の説明】
【００８８】
１００、２００、３００  複合機
１１０  表示部
１２０  入力部
１３０、３３０  記憶部
１３２、３３２  長さ情報記憶部
１４０、２４０、３４０  制御部
１４１  モード受付部
１４２  禁止部
１４３、２４３  取得部
１４４  設定部
１４５  選択部
１５０、２５０  搬送部
１５１  原稿セットセンサ
１５２  各種ローラ
１５２ａ  ピックアップローラ
１５２ｂ  フィードローラ
１５２ｃ  プルアウトローラ
１５２ｄ  読取前ローラ
１５２ｅ  排紙ローラ
１５２ｆ  反転ローラ
１５３、２５３ａ、２５３ｂ  レジストセンサ
１５４  スキャンライン
１５５  分岐爪
１６０  読取部
１７０  画像処理部
１８０  給紙部
１９０  印刷部
３４６  長さ情報受付部
９１０  コントローラ
９１１  ＣＰＵ
９１２  システムメモリ
９１２ａ  ＲＯＭ
９１２ｂ  ＲＡＭ
９１３  ノースブリッジ
９１４  サウスブリッジ
９１５  ＡＧＰバス
９１６  ＡＳＩＣ
９１７  ローカルメモリ
９１８  ハードディスクドライブ
９２０  操作表示部
９３０  ＦＣＵ
９４０  ＵＳＢ
９５０  ＩＥＥＥ１３９４インタフェース
９６０  エンジン部
【先行技術文献】
【特許文献】
【００８９】
【特許文献１】特開平８−１６１４７３号公報
【図１】
2011199397.tif 000003
【図２】
2011199397.tif 000004
【図３】
2011199397.tif 000005
【図４】
2011199397.tif 000006
【図５】
2011199397.tif 000007
【図６】
2011199397.tif 000008
【図７】
2011199397.tif 000009
【図８】
2011199397.tif 000010
【図９】
2011199397.tif 000011
【図１０】
2011199397.tif 000012
【図１１】
2011199397.tif 000013